(57)【特許請求の範囲】
【請求項１】
サーボデータが記録された複数のサーボデータエリアが各トラックに渡って中心から放射状に等間隔で配置されると共に、各サーボデータエリア間はユーザデータが前記サーボデータより高い記録周波数で記録されるユーザデータエリアとなっているディスクを備え、当該ディスクに記録された磁気情報の再生にＭＲヘッドを用いた磁気ディスク装置において、
前記ＭＲヘッドにより前記ディスクから読み取られて再生された再生信号を処理する再生信号処理回路部に設けられた、前記再生信号の低域成分を除去するための、カットオフ周波数を第１のカットオフ周波数と当該第１のカットオフ周波数より高い第２のカットオフ周波数との間で切り替えることが可能なハイパスフィルタであって、前記第１のカットオフ周波数と前記第２のカットオフ周波数との比率が前記サーボデータの記録周波数と前記ユーザデータの記録周波数の比率にほぼ一致するように設定されたハイパスフィルタと、
前記ハイパスフィルタのカットオフ周波数をサーボデータの再生時とユーザデータの再生時とで切り替える切り替え手段であって、前記サーボデータの再生時には前記カットオフ周波数を前記第１のカットオフ周波数に切り替え設定し、前記ユーザデータの再生時には前記カットオフ周波数を前記第１のカットオフ周波数より高い前記第２のカットオフ周波数に切り替え設定する切り替え手段とを具備することを特徴とする磁気ディスク装置。
【請求項２】
前記ハイパスフィルタの前記カットオフ周波数は、当該フィルタの抵抗の切り替えにより切り替えられることを特徴とする請求項１記載の磁気ディスク装置。
【請求項３】
前記ハイパスフィルタの前記カットオフ周波数は、当該フィルタの容量の切り替えにより切り替えられることを特徴とする請求項１記載の磁気ディスク装置。
【請求項４】
サーボデータが記録された複数のサーボデータエリアが各トラックに渡って中心から放射状に等間隔で配置されると共に、各サーボデータエリア間はユーザデータが前記サーボデータより高い記録周波数で記録されるユーザデータエリアとなっているディスクを備え、当該ディスクに記録された磁気情報の再生にＭＲヘッドを用いた磁気ディスク装置における再生信号処理方法であって、
前記ＭＲヘッドにより前記ディスクから読み取られて再生された再生信号をハイパスフィルタに通してその低域成分を除去するために、サーボデータの再生時とユーザデータの再生時とで前記ハイパスフィルタのカットオフ周波数を、第１のカットオフ周波数と当該第１のカットオフ周波数より高い第２のカットオフ周波数との比率が前記サーボデータの記録周波数と前記ユーザデータの記録周波数の比率にほぼ一致する、当該第１のカットオフ周波数と当該第２のカットオフ周波数との間で切り替えるようにし、前記サーボデータの再生時には前記カットオフ周波数を前記第１のカットオフ周波数に切り替え設定し、前記ユーザデータの再生時には前記カットオフ周波数を前記第１のカットオフ周波数より高い前記第２のカットオフ周波数に切り替え設定するようにしたことを特徴とする再生信号処理方法。
【発明の詳細な説明】
【０００１】
【発明の属する技術分野】
本発明は、ディスクからのデータ再生にＭＲ（Magnet Resistive）ヘッドを用いた磁気ディスク装置及び同装置における再生信号処理方法に関する。
【０００２】
【従来の技術】
従来の磁気ディスク装置（ハードディスク装置）では、記録媒体としてのディスクへのデータ記録及びディスクからのデータ再生に用いられるヘッドは、ＭＩＧ（Metal In Gap）ヘッドと薄膜ヘッドとが主流であった。
【０００３】
ところが近年は、磁気ディスク装置の高記録密度化（高容量化）を実現するために、ＭＲヘッド（磁気抵抗効果型ヘッド）と呼ばれる読み出し（再生）専用ヘッドを採用した磁気ディスク装置が増加してきている。
【０００４】
このＭＲヘッドを用いた磁気ディスク装置では、ディスク上に何らかの要因で発生した傷や突起、ディスク上に付着した異物に、ＭＲヘッドの素子自体、或いはＭＲ素子の近傍のスライダの一部が衝突することに起因する、ＭＲヘッド特有の現象がある。即ち、ＭＲヘッドがディスク上の傷や突起、或いは異物に衝突すると、ＭＲ素子が急激に温度上昇して、磁気抵抗再生性能が一時的に著しく変化することがあり、そのような場合に、図６に示すように再生波形のＤＣ変動として現れるという現象である。このような現象はサーマルアスペリティ（ＴＡ）と呼ばれ、ＴＡ発生時の再生波形がリードデータエラー（バーストエラー）の要因となるため、問題となっている。
【０００５】
ところで、磁気ディスク装置では、従来よりインタフェースコントローラ回路部分にエラーコレクション機能を持たせている。このため、比較的短い時間のバーストエラー（即ち比較的少ないエラーバイト数）であれば当該エラーコレクション機能により訂正することが可能である。
【０００６】
そこで、ＴＡが発生したとしても、その際の再生波形の低周波成分（低域成分）をハイパスフィルタ（Highi Pass Filter ：ＨＰＦ）により図７に示すように除去する磁気ディスク装置が、本出願人により特願平８−６０９６４号で提案されている。このような磁気ディスク装置（以下、先願発明に係る磁気ディスク装置と称する）においては、ＴＡが発生したとしても、ＨＰＦによる再生波形の低周波成分の除去機能により、エラーバイト数を極力少なくして、エラーコレクション機能による訂正が可能となる。
【０００７】
図８は、この先願発明に係る磁気ディスク装置の再生信号処理回路部を中心とするブロック構成を示す。この図８の例では、ディスク８１からＭＲヘッド８２により読み取られた信号（再生信号）を増幅するプリアンプ８３と、当該プリアンプ８３により増幅された再生信号からデータを抽出する機能を有するＲ／Ｗ（リード／ライト）チャネルＩＣ（リード／ライト回路）８５との接続間に、ＨＰＦ８４が挿入配置された構成となっている。ここで、ＨＰＦ８４は、コンデンサＣ１，Ｃ２と、Ｒ／ＷチャネルＩＣ８５内の（プリアンプ８３の出力信号を一定の振幅になるように増幅する）自動利得制御（Automatic Gain Controll ：ＡＧＣ）アンプ８５１の入力抵抗（入力インピーダンス）Ｒinとの直列回路から構成される。
【０００８】
このような構成では、ＴＡが発生してＭＲヘッド８２により読み取られた再生信号の波形（再生波形）がＤＣ的に変化しても、その低域成分をＨＰＦ８４により除去することができる。ここで、ＤＣ成分をできるだけ短時間で減少させるには、ＨＰＦ８４のカットオフ周波数ｆc をできるだけ上げた方がよい。
【０００９】
しかし、ｆc を上げ過ぎると、低域の位相特性の変化を招く。特に、ヘッドの位置決め制御等のために用いられるサーボデータエリアに記録されたサーボデータ信号は、ユーザデータエリアに記録された通常のデータ信号（ユーザデータ信号）に比べて、記録周波数が１／５程度低いことから、当該サーボデータ信号の位相特性の劣化を考慮してＨＰＦ８４のｆc を設定しなければならない。したがって、ＴＡ発生に対してマージンのあるＨＰＦ８４のｆc 設定を行うことは困難である。
【００１０】
【発明が解決しようとする課題】
上記したように、ＭＲヘッドを搭載した先願発明に係る磁気ディスク装置では、プリアンプ（初段アンプ）とＲ／ＷチャネルＩＣとの接続間にハイパスフィルタ（ＨＰＦ）を挿入して、ＭＲヘッドで読み取られてプリアンプで増幅された全ての再生信号を対象に、その低域成分を除去することで、サーマルアスペリティ（ＴＡ）の発生に起因する再生波形のＤＣ変動を短時間で低減するようにしている。
【００１１】
しかし、上記の再生信号には、通常のデータ信号（ユーザデータ信号）に比べて記録周波数が１／５程度低いサーボデータ信号も含まれていることから、低域成分除去に伴うサーボデータ信号の位相特性の劣化も考慮しながらハイパスフィルタのカットオフ周波数を設定しなければならず、サーマルアスペリティに対して十分に効果のあるハイパスフィルタのカットオフ周波数を設定することができないという問題がある。
【００１２】
そこで、本発明は上記の問題を解決するためになされたものであり、サーボデータの再生時とユーザデータの再生時とでハイパスフィルタのカットオフ周波数を切り替えることで、低域成分除去に伴うサーボデータ信号の位相特性の劣化を防ぐと共に、サーマルアスペリティに対して十分に効果のあるカットオフ周波数を設定できる磁気ディスク装置及び同装置における再生信号処理方法を提供することを目的とする。
【００１３】
【課題を解決するための手段】
本発明は、ＭＲヘッドによりディスクから読み取られて再生された再生信号を処理する再生信号処理回路部に、上記再生信号の低域成分を除去するための、カットオフ周波数の切り替えが可能なハイパスフィルタ（ＨＰＦ）を設けると共に、上記ＨＰＦのカットオフ周波数をサーボデータの再生時とユーザデータの再生時とで切り替える切り替え手段であって、ユーザデータの再生時にはサーボデータの再生時より上記カットオフ周波数を高い値に切り替え設定する切り替え手段を設けたことを特徴とする。ここで、切り替え手段による切り替えのタイミング信号には、サーボゲート信号を用いればよい。
【００１４】
このような構成においては、ユーザデータの再生時には、ＨＰＦのカットオフ周波数を高く設定することで、たとえサーマルアスペリティ（ＴＡ）が発生してＭＲヘッドにより読み取られた再生信号の波形（再生波形）がＤＣ的に変化したとしても、その低域成分（ＤＣ変動分）をＨＰＦにより短時間で吸収できるようになるため、エラーバイト数を減少させ、エラーコレクション機能による訂正が可能となる。また、サーボデータの再生時には、ＨＰＦのカットオフ周波数をユーザデータの再生時より低く設定することで、ユーザデータより記録周波数が低いサーボデータの位相特性の劣化を防ぐことができる。ここで、サーボデータの再生時とユーザデータの再生時のＨＰＦのカットオフ周波数の比率は、サーボデータの記録周波数とユーザデータの記録周波数の比率（例えば１／５程度）に一致させるとよい。また、ユーザデータの再生時のＨＰＦのカットオフ周波数はユーザデータの記録周波数の１／１００以上にするとよい。
【００１５】
また、ＨＰＦはコンデンサと抵抗の直列回路から構成されることから、当該ＨＰＦのカットオフ周波数を切り替え可能とするには、コンデンサの容量、または抵抗が、（サーボデータ再生時とユーザデータ再生時とで）切り替え手段により切り替え設定可能なようにすればよい。
【００１６】
【発明の実施の形態】
以下、本発明の実施の形態につき図面を参照して説明する。
［第１の実施形態］
図１は本発明の第１の実施形態に係る磁気ディスク装置の再生信号処理回路部を中心とするブロック構成図である。
【００１７】
同図において、１は記録媒体としてのディスク、２はディスク１に磁気的に記録されているデータを読み取って再生するＭＲ素子使用のヘッドであるＭＲヘッドである。ディスク１の各トラックには、図２に示すように、ヘッドの位置決め制御等に用いられるサーボデータが記録された複数（例えば５０個程度）のサーボデータエリア１１１が各トラックに渡って中心から放射状に等間隔で配置されている。サーボデータエリア１１１は、信号の振幅を安定化するために用いられる一定の周波数のデータ（サーボＡＧＣパターン）が記録されたＡＧＣ安定化エリア、イレーズとサーボエリア識別用の固有のサーボ識別パターンとセクタ番号（サーボセクタ番号）を示すセクタデータが記録されたセクタデータエリア、シリンダ番号を示すシリンダデータ（シリンダコード）が記録されたシリンダデータエリア、及び当該シリンダデータの示すシリンダ内の位置誤差を波形の振幅で示すためのバーストパターンが記録されたバーストエリア等、周知のエリアを有する。サーボデータエリア１１１間は複数のデータセクタが設定されるユーザデータエリア１１２となっている。
【００１８】
ＭＲヘッド２は、例えばフレキシブルプリント配線板（ＦＰＣ）に実装されたヘッドＩＣ３と接続されている。このヘッドＩＣ３は、ＭＲヘッド２で読み取られた再生信号を増幅するプリアンプ（初段アンプ）３１を有する。
【００１９】
プリアンプ３１の出力はＨＰＦ（ハイパスフィルタ）４を介してＲ／ＷチャネルＩＣ（リード／ライト回路）５（内の次に述べるＡＧＣアンプ５１の入力）と接続されている。
【００２０】
Ｒ／ＷチャネルＩＣ５は、ＨＰＦ４を介して入力されるプリアンプ３１の出力信号（再生信号）からデータを抽出する機能を有しており、当該再生信号を一定の振幅に増幅するＡＧＣアンプ５１と、ＡＧＣアンプ５１から出力される再生信号に含まれる高域信号の周波数特性を制御するアクティブフィルタ５２と、当該再生信号のピークを検出する微分アンプ５３と、この微分アンプ５３で検出されたピーク位置でパルス化されたパルス列を生成する、つまり再生信号をディジタル信号に変換するパルス生成回路５４とを備えている。
【００２１】
ＨＰＦ４は、コンデンサＣ１，Ｃ２と、Ｒ／ＷチャネルＩＣ５内のＡＧＣアンプ５１の入力抵抗（入力インピーダンス）Ｒinとの直列回路を有している。ＨＰＦ４はまた、入力抵抗（入力インピーダンス）Ｒinに並列に接続された、抵抗Ｒ１とスイッチＳＷ１との直列回路を有している。
【００２２】
Ｒ／ＷチャネルＩＣ５内のパルス生成回路５４の出力にはサーボデータエリア検出回路６が接続されている。このサーボデータエリア検出回路６は、パルス生成回路５４からのパルス列をもとに、ディスク１上のサーボデータエリア１１１の区間を識別して、サーボデータ信号の再生期間だけ第１の論理状態（真）となり、それ以外の期間（ユーザデータ信号の再生期間）は上記第１の論理状態が反転された第２の論理状態（偽）となるサーボデータエリア検出信号６１を出力する。このサーボデータエリア検出信号６１は一般にサーボゲート（サーボゲート信号）と称され、サーボデータ中のバーストデータを抽出するためのタイミング信号等の生成に用いられるものであるが、本実施形態ではスイッチＳＷ１のオン／オフ制御にも用いている。ここでは、信号６１が第１の論理状態の場合、即ちサーボデータ信号の再生期間は、スイッチＳＷ１はオフされ、信号６１が第２の論理状態の場合、即ちユーザデータ信号の再生期間は、スイッチＳＷ１はオンされる。
【００２３】
次に、図１の構成の動作を説明する。
まず、ディスク１に磁気的に記録された情報はＭＲヘッド２により読み取られて電気信号に再生され、その再生信号はプリアンプ３１により増幅される。もし、ＭＲヘッド２による再生時にサーマルアスペリティ（ＴＡ）が発生すると、プリアンプ３１から増幅出力される再生信号の波形（再生波形）は、図６に示したようにＤＣ的に変動する。
【００２４】
そこで、図１の構成においては、このプリアンプ３１から増幅出力される再生信号がＤＣ的に変動していたとしても、当該再生信号の低域成分を図７に示したように除去して、エラーバイト数を極力少なくして、磁気ディスク装置（のインタフェースコントローラ回路）が有するエラーコレクション機能による訂正が可能なように、プリアンプ３１とＲ／ＷチャネルＩＣ５（内のＡＧＣアンプ５１）との接続間に、ＨＰＦ４が挿入配置された構成を適用している。
【００２５】
さて、上記の再生信号には、ディスク１のユーザデータエリア１１２から再生されるユーザデータ信号の他に、サーボデータエリア１１１から再生されるサーボデータ信号も含まれている。サーボデータエリア１１１に記録されるサーボデータの記録周波数は、ユーザデータエリア１１２に記録されるユーザデータ（通常のデータ）の記録周波数に比べて低く、例えば１／５程度である。したがって磁気ディスク装置の再生信号処理回路部では、非常に帯域の広いフィルタ回路が必要となる。
【００２６】
しかし、ＨＰＦ４のカットオフ周波数ｆc を低く設定すると、ＴＡが発生した場合には、そのＴＡ発生によって生じた低域の周波数成分がＨＰＦ４を通過してしまうため、エラーバイト数が多くなり、上記のエラーコレクション機能による訂正が困難となる。
【００２７】
これに対し、ＨＰＦ４のカットオフ周波数ｆc を高く設定すると、ＴＡが発生したとしても、低域の周波数成分を短時間で除去できるため、エラーバイト数を減少できるものの、再生信号の低域の位相特性が劣化し、サーボデータの変換性能が悪化する。
【００２８】
そこで本実施形態では、前記した図１に示す構成のＨＰＦ４を用いると共に、即ちＲ／ＷチャネルＩＣ５内のＡＧＣアンプ５１の入力抵抗（入力インピーダンス）Ｒinに並列に、抵抗Ｒ１とスイッチＳＷ１との直列回路が挿入接続されたＨＰＦ４を用いると共に、サーボデータエリア検出回路６からのサーボデータエリア検出信号６１の状態に応じてスイッチＳＷ１をオン／オフして抵抗Ｒ１の接続／切離しを行うことで、ＨＰＦ４のカットオフ周波数ｆc を、ユーザデータ再生時とサーボデータ再生時とで切り替えるようにしている。以下、ＨＰＦ４のカットオフ周波数ｆc の切り替えについて詳述する。
【００２９】
まず、プリアンプ３１により増幅されたＭＲヘッド２からの再生信号はＨＰＦ４を介してＲ／ＷチャネルＩＣ５に導かれ、ＡＧＣアンプ５１により一定の振幅に増幅される。アクティブフィルタ５２では、ＡＧＣアンプ５１から増幅出力される再生信号に含まれる高域信号の周波数特性を制御する。即ちアクティブフィルタ５２では、ＡＧＣアンプ５１からの再生信号から所定帯域外の周波数をカットする共に信号の帯域をブーストする。このアクティブフィルタ５２から出力される再生信号はデータ抽出のために例えばＦＩＲ（Finite Impulse Response ：有限インパルスレスポンス）フィルタ（図示せず）に導かれると共に、微分アンプ５３に導かれる。微分アンプ５３は、アクティブフィルタ５２から出力される再生信号のピークを検出する。パルス生成回路５４は、微分アンプ５３の出力を一定レベルで２値化（パルス化）することで、微分アンプ５３で検出されたピーク位置に対応したパルス列を生成する。
【００３０】
サーボデータエリア検出回路６は、パルス生成回路５４からのパルス列からサーボデータエリア１１１の識別用のサーボ識別パターンを検出することで、図３に示すように、（次の）サーボデータエリア１１１の区間に対応する期間だけ第１の論理状態（真）となるサーボデータエリア検出信号６１を出力する。したがって信号６１は、サーボデータエリア１１１以外の区間、即ちユーザデータエリア１１２の区間に対応する期間は（第１の論理状態が反転された）第２の論理状態（偽）となる。
【００３１】
ＨＰＦ４内のスイッチＳＷ１は、サーボデータエリア検出回路６からのサーボデータエリア検出信号６１の状態により制御され、信号６１が第１の論理状態（真）の期間はオフとなり、第２の論理状態（偽）の期間はオンとなる。
【００３２】
スイッチＳＷ１がオンの場合、ＨＰＦ４は、ＡＧＣアンプ５１の入力抵抗（入力インピーダンス）Ｒinと抵抗Ｒ１との並列回路に、コンデンサＣ１，Ｃ２が直列接続された構成となり、その抵抗値（即ちＲinとＲ１との並列回路の抵抗値）ＲはＲinＲ１／（Ｒin＋Ｒ１）となる。一方、スイッチＳＷ１がオフの場合、ＨＰＦ４は、ＡＧＣアンプ５１の入力抵抗（入力インピーダンス）Ｒinに、コンデンサＣ１，Ｃ２が直列接続された構成となり、その抵抗値ＲはＲinとなる。
【００３３】
一般に、コンデンサＣと抵抗Ｒとの直列回路からなるＨＰＦのカットオフ周波数ｆc は、１／（２πＣＲ）で表される。したがって、スイッチＳＷ１がオフの場合、即ちサーボデータの再生時のカットオフ周波数ｆc をｆc1  、スイッチＳＷ１がオンの場合、即ちユーザデータの再生時のカットオフ周波数ｆc をｆc2とすると、ｆc1，ｆc2はそれぞれ次のようになる。但し、Ｃ＝Ｃ１Ｃ２／（Ｃ１＋Ｃ２）である。
【００３４】
ｆc1＝１／（２πＣＲin）
ｆc2＝（Ｒin＋Ｒ１）／（２πＣＲinＲ１）
明らかなようにｆc1＜ｆc2であり、サーボデータの再生時のカットオフ周波数ｆc1はユーザデータの再生時のカットオフ周波数ｆc2より小さな値に設定されることになる。即ち本実施形態においては、ＨＰＦ４中に入力抵抗（入力インピーダンス）Ｒinと並列に挿入された抵抗Ｒ１の接続／切離しを、スイッチＳＷ１によりユーザデータ再生時とサーボデータ再生時とで切り替えることで、サーボデータ再生時には、ＨＰＦ４のカットオフ周波数ｆc （＝ｆc1）を、サーボデータの再生信号の低域の位相特性が劣化しないように低めに設定し、ユーザデータ再生時には、ＨＰＦ４のカットオフ周波数ｆc （＝ｆc2）を、たとえＴＡが発生してもユーザデータの再生信号の低域成分を短時間で除去してエラーバイト数を極力減らしエラーコレクション機能で訂正可能なように高めに設定することができる。
【００３５】
このように、サーボデータ再生時とユーザデータ再生時とでカットオフ周波数ｆc が切り替えられる場合のＨＰＦ４の特性（周波数−ゲイン特性）を図４に示す。
【００３６】
なお、ｆc1，ｆc2の比率は、サーボデータの記録周波数がユーザデータの記録周波数の１／５程度であることから、ｆc1，ｆc2についてもｆc1／ｆc2をほぼ１／５とすればよい。また、ｆc2については、（ユーザデータエリア１１２における）ユーザデータの記録周波数の１／１００以上に設定するとよい。
【００３７】
以上は、ＨＰＦのカットオフ周波数ｆc をサーボデータ再生時とユーザデータ再生時とで切り替えるのに、抵抗（Ｒ１）の接続／切離し、即ち抵抗値の切り替えを利用した場合について説明したが、例えばコンデンサの接続／切離し、即ち容量の切り替えを利用することも可能である。
［第２の実施形態］
そこで、ＨＰＦの容量を切り替えることでカットオフ周波数ｆc をサーボデータ再生時とユーザデータ再生時とで切り替えるようにした第２の実施形態について、図面を参照して説明する。なお、図１と同一部分には同一符号を付して説明を省略する。
【００３８】
図５は本発明の第２の実施形態に係る磁気ディスク装置の再生信号処理回路部を中心とするブロック構成図である。
図５の構成が図１の構成と異なる点は、図１中のＨＰＦ４に代えてＨＰＦ１４を用い、当該ＨＰＦ１４の容量を切り替えることでカットオフ周波数ｆc をサーボデータ再生時とユーザデータ再生時とで切り替え可能なようにしたことである。そのためＨＰＦ１４は、コンデンサＣ１，Ｃ２と、Ｒ／ＷチャネルＩＣ５内のＡＧＣアンプ５１の入力抵抗（入力インピーダンス）Ｒinとの直列回路に加えて、コンデンサＣ１に並列に接続された、コンデンサＣ３とスイッチＳＷ２との直列回路と、コンデンサＣ２に並列に接続された、コンデンサＣ４とスイッチＳＷ３との直列回路とを有している。スイッチＳＷ２，ＳＷ３は、サーボデータエリア検出回路６からのサーボデータエリア検出信号６１に応じてオン／オフ制御されるようになっており、本実施形態では、信号６１が第１の論理状態の場合、即ちサーボデータ信号の再生期間は、スイッチＳＷ２，ＳＷ３はオンされ、信号６１が第２の論理状態の場合、即ちユーザデータ信号の再生期間は、スイッチＳＷ２，ＳＷ３はオフされる。
【００３９】
以上の構成において、サーボデータの再生期間は、サーボデータエリア検出回路６から第１の論理状態（真）のサーボデータエリア検出信号６１が出力される。このように信号６１が第１の論理状態（真）にある期間は、スイッチＳＷ２，ＳＷ３がオンされる。スイッチＳＷ２，ＳＷ３がオンの場合、ＨＰＦ４は、コンデンサＣ１，Ｃ３の並列回路と、ＡＧＣアンプ５１の入力抵抗（入力インピーダンス）Ｒinと、コンデンサＣ２，Ｃ４の並列回路とが直列接続された構成となり、その容量Ｃは、（Ｃ１＋Ｃ３）（Ｃ２＋Ｃ４）／（Ｃ１＋Ｃ２＋Ｃ３＋Ｃ４）となる。
【００４０】
一方、ユーザデータの再生期間は、サーボデータエリア検出回路６からのサーボデータエリア検出信号６１は第２の論理状態（偽）となる。このように信号６１が第２の論理状態（偽）にある期間は、スイッチＳＷ２，ＳＷ３がオフされる。スイッチＳＷ２，ＳＷ３がオフの場合、ＨＰＦ４は、コンデンサＣ１と、ＡＧＣアンプ５１の入力抵抗（入力インピーダンス）Ｒinと、コンデンサＣ２とが直列接続された構成となり、その容量Ｃは、Ｃ１Ｃ２／（Ｃ１＋Ｃ２）となる。
【００４１】
したがって、スイッチＳＷ２，ＳＷ２がオンの場合、即ちサーボデータの再生時のカットオフ周波数ｆc をｆc1  、スイッチＳＷ２，ＳＷ３がオフの場合、即ちユーザデータの再生時のカットオフ周波数ｆc をｆc2とすると、ｆc1，ｆc2はそれぞれ次のようになる。
【００４２】
ｆc1＝（Ｃ１＋Ｃ２＋Ｃ３＋Ｃ４）／｛２π（Ｃ１＋Ｃ３）（Ｃ２＋Ｃ４）Ｒin｝
ｆc2＝（Ｃ１＋Ｃ２）／（２πＣ１Ｃ２Ｒin）
明らかなようにｆc1＜ｆc2であり、サーボデータの再生時のカットオフ周波数ｆc1はユーザデータの再生時のカットオフ周波数ｆc2より小さな値に設定されることになる。即ち本実施形態においては、ＨＰＦ４中にコンデンサＣ１，Ｃ２とそれぞれ並列に挿入されたコンデンサＣ３，Ｃ４の接続／切離しを、スイッチＳＷ２，ＳＷ３によりサーボデータ再生時とユーザデータ再生時とで切り替えることで、サーボデータ再生時には、ＨＰＦ４のカットオフ周波数ｆc （＝ｆc1）を、サーボデータの再生信号の低域の位相特性が劣化しないように低めに設定し、ユーザデータ再生時には、ＨＰＦ４のカットオフ周波数ｆc （＝ｆc2）を、たとえＴＡが発生してもユーザデータの再生信号の低域成分を短時間で除去してエラーバイト数を極力減らしエラーコレクション機能で訂正可能なように高めに設定することができる。
【００４３】
【発明の効果】
以上詳述したように本発明によれば、ＭＲヘッドによりディスクから読み取られて再生された再生信号を処理する再生信号処理回路部に、上記再生信号の低域成分を除去するための、カットオフ周波数の切り替えが可能なハイパスフィルタを設け、サーボデータの再生時とユーザデータの再生時とで当該ハイパスフィルタのカットオフ周波数を切り替えるようにしたので、低域成分除去に伴うサーボデータ信号の位相特性の劣化を防ぐと共に、サーマルアスペリティに対して十分に効果のあるカットオフ周波数を設定することができる。
【図面の簡単な説明】
【図１】本発明の第１の実施形態に係る磁気ディスク装置の再生信号処理回路部を中心とするブロック構成図。
【図２】図１中のディスク１の代表的なフォーマット例を示す概念図。
【図３】ディスク１上のサーボデータエリア１１１及びユーザデータエリア１１２とサーボデータエリア検出信号６１との関係を示す図。
【図４】サーボデータ再生時とユーザデータ再生時とでカットオフ周波数ｆc が切り替えられる場合のＨＰＦ４の特性（周波数−ゲイン特性）を示す図。
【図５】本発明の第２の実施形態に係る磁気ディスク装置の再生信号処理回路部を中心とするブロック構成図。
【図６】ＴＡ発生時の再生波形の一例を示す図。
【図７】ＴＡ発生時の再生波形の低域成分がＨＰＦで除去された様子を示す図。
【図８】ＴＡ発生時の再生波形の低域成分を除去するためのＨＰＦを有する先願発明に係る磁気ディスク装置の再生信号処理回路部を中心とするブロック構成図。
【符号の説明】
１…ディスク
２…ＭＲヘッド
３…ヘッドＩＣ
４…ＨＰＦ（ハイパスフィルタ）
５…Ｒ／ＷチャネルＩＣ
６…サーボデータエリア検出回路
３１…プリアンプ
５１…ＡＧＣアンプ５１
１１１…サーボデータエリア
１１２…ユーザデータエリア
Ｒin…入力抵抗（入力インピーダンス）
Ｒ１…抵抗
Ｃ１〜Ｃ４…コンデンサ
ＳＷ１〜ＳＷ３…スイッチ（切り替え手段）
【図１】
0003663033.tif 000002
【図２】
0003663033.tif 000003
【図３】
0003663033.tif 000004
【図４】
0003663033.tif 000005
【図５】
0003663033.tif 000006
【図６】
0003663033.tif 000007
【図７】
0003663033.tif 000008
【図８】
0003663033.tif 000009